(57)【要約】      （修正有）【課題】作業者の熟練度を必要とせず簡易な方法で外観に優れる加飾面を得ることができる加飾シートの貼着方法。【解決手段】加飾シートの粘着層３の裏面に複数の剥離フィルム１５を配置し（準備工程）、複数の剥離フィルム１５を順次剥離して加飾シート１の粘着層３を自動車外装材に順次貼着し（貼着工程）、準備工程では複数の剥離フィルム１５のそれぞれを剥離方向に沿って順次配置するとともに各剥離フィルム１５においてはその剥離方向下流側端部に仮止めのために粘着層３が一部露出するように剥離フィルム１５を粘着層３の裏面に配置し、貼着工程では、まず各剥離フィルム１５において仮止めのために露出している粘着層３を自動車外装材に貼着することにより自動車外装材に対して加飾シート１を位置決めし、次いで複数の剥離フィルム１５を順次剥離しながら加飾シート１の粘着層３を自動車外装材に順次貼着する。【選択図】図４
2019111694.tif 000002
【特許請求の範囲】
【請求項１】
加飾層と前記加飾層の裏面に設けられる粘着層とを備える加飾シートを、被加飾体に貼着する加飾シートの貼着方法であって、
前記加飾シートの前記粘着層の裏面に、複数の剥離フィルムを配置する準備工程と、
前記複数の剥離フィルムを順次剥離して、前記加飾シートの前記粘着層を前記被加飾体に順次貼着する貼着工程とを備え、
前記準備工程では、
前記複数の剥離フィルムのそれぞれを、剥離方向に沿って順次配置するとともに、
各剥離フィルムにおいては、その剥離方向下流側端部に、仮止めのために前記粘着層が一部露出するように、前記剥離フィルムを前記粘着層の裏面に配置し、
前記貼着工程では、
まず、各前記剥離フィルムにおいて、仮止めのために露出している前記粘着層を前記被加飾体に貼着することにより、前記被加飾体に対して前記加飾シートを位置決めし、
次いで、前記複数の剥離フィルムを順次剥離しながら、前記加飾シートの前記粘着層を前記被加飾体に順次貼着する
ことを特徴とする、加飾シートの貼着方法。
【請求項２】
前記準備工程では、
前記粘着層に対して各前記剥離フィルムを配置するときに、
前記剥離フィルムの剥離時に前記剥離フィルムを把持できるタブができるように、前記剥離フィルムの前記剥離方向上流側端縁を、前記粘着層に対して離隔させるとともに、
各前記剥離フィルムの下流側端縁を折り返すことにより、前記仮止めのために前記粘着層を露出させる
ことを特徴とする、請求項１に記載の加飾シートの貼着方法。
【発明の詳細な説明】
【技術分野】
【０００１】
本発明は、加飾シートの貼着方法に関し、詳しくは、所望形状に成形された加飾シートを被加飾体に貼着するための加飾シートの貼着方法に関する。
【背景技術】
【０００２】
従来、車両や建造物などの内装や外装に、化粧材などの加飾シートを貼着し、意匠性を付与することが、知られている。より具体的には、例えば、自動車の外装パネル部分の外表面などに、カーボン調にプリントされた加飾シートを貼着し、軽量化された外装パネルのように加飾することが、知られている。
【０００３】
このような加飾シートとしては、例えば、剥離層、粘着層および表皮層を備え、剥離層が形状保持層および易剥離層を備える加飾シートが提案されている。また、そのような加飾シートを、真空成形により所望の形状に成形した後、剥離層を剥離し、露出した粘着層を介して被着体に貼着することが、提案されている（例えば、特許文献１参照。）。
【０００４】
また、上記した加飾シートの貼着では、通常、水貼り（ウェット工法）が採用される。
【０００５】
水貼り（ウェット工法）では、例えば、界面活性剤の溶液を被着体に塗布し、その塗膜上で加飾シートを位置決めした後、水抜きおよび加圧することによって、被着体に加飾シートを貼着する。ウェット工法によれば、加飾シートの位置決めが容易であり、また、外観に優れた加飾面を得ることができる。
【先行技術文献】
【特許文献】
【０００６】
【特許文献１】特開２０１６−１６８９００号公報
【発明の概要】
【発明が解決しようとする課題】
【０００７】
しかしながら、ウェット工法では、作業者に熟練度が要求される。一方、実際は、非熟練者による加飾シートの貼り替え作業が要求されている。
【０００８】
そのため、ウェット工法に代替して、作業者の熟練度を必要としない簡易なドライ工法において、外観に優れる加飾面を得ることができる加飾シートの貼着方法が要求されている。
【０００９】
本発明は、作業者の熟練度を必要とせず、簡易な方法で、外観に優れる加飾面を得ることができる加飾シートの貼着方法である。
【課題を解決するための手段】
【００１０】
本発明［１］は、加飾層と前記加飾層の裏面に設けられる粘着層とを備える加飾シートを、被加飾体に貼着する加飾シートの貼着方法であって、前記加飾シートの前記粘着層の裏面に、複数の剥離フィルムを配置する準備工程と、前記複数の剥離フィルムを順次剥離して、前記加飾シートの前記粘着層を前記被加飾体に順次貼着する貼着工程とを備え、前記準備工程では、前記複数の剥離フィルムのそれぞれを、剥離方向に沿って順次配置するとともに、各剥離フィルムにおいては、その剥離方向下流側端部に、仮止めのために前記粘着層が一部露出するように、前記剥離フィルムを前記粘着層の裏面に配置し、前記貼着工程では、まず、各前記剥離フィルムにおいて、仮止めのために露出している前記粘着層を前記被加飾体に貼着することにより、前記被加飾体に対して前記加飾シートを位置決めし、次いで、前記複数の剥離フィルムを順次剥離しながら、前記加飾シートの前記粘着層を前記被加飾体に順次貼着する、加飾シートの貼着方法を含んでいる。
【００１１】
本発明［２］は、前記準備工程では、前記粘着層に対して各前記剥離フィルムを配置するときに、前記剥離フィルムの剥離時に前記剥離フィルムを把持できるタブができるように、前記剥離フィルムの前記剥離方向上流側端縁を、前記粘着層に対して離隔させるとともに、各前記剥離フィルムの下流側端縁を折り返すことにより、前記仮止めのために前記粘着層を露出させる、上記［１］に記載の加飾シートの貼着方法を含んでいる。
【発明の効果】
【００１２】
本発明の加飾シートの貼着方法では、加飾シートの粘着層に複数の剥離フィルムを剥離方向に沿って順次配置し、各剥離フィルムの剥離方向下流側端部において粘着層の一部をそれぞれ露出させ、各露出面によって被加飾体に仮止めし、その後、剥離フィルムを順次剥離しながら、加飾シートを被加飾体に順次貼着する。
【００１３】
このような加飾シートの貼着方法では、ドライ工法が採用されるため、ウェット工法が採用される場合のような作業者の熟練度を必要とせず、簡易である。
【００１４】
また、上記の加飾シートの貼着方法では、１つの被加飾体に対して複数の剥離フィルムを使用するため、１つの被加飾体に対して１つの剥離フィルムを使用する場合に比べて、貼着範囲をより小さい区画に分けることができ、その区画毎に貼着することができる。そして、各区画の貼着時には、各剥離フィルムの剥離方向下流側端部において、貼着層の露出面によって加飾シートが仮止めされているため、各剥離フィルムの剥離中における加飾シートの位置ずれを抑制でき、さらには、各剥離フィルムの剥離後、次の剥離フィルムを剥離する前に、加飾シートの貼着位置を微調整することができる。
【００１５】
そのため、上記の加飾シートの貼着方法によれば、より確実に位置決めして、外観に優れる加飾面を得ることができる。
【図面の簡単な説明】
【００１６】
【図１】図１は、本発明の加飾シートの貼着方法に使用される未成形加飾シートの一実施形態を示す概略構成図である。
【図２】図２は、未成形加飾シートの他の実施形態を示す概略構成図である。
【図３】図３は、加飾シートの成形方法を示す概略工程図であって、図３Ａは、未成形加飾シートを用意する工程、図３Ｂは、未成形加飾シートを加熱する工程、図３Ｃは、未成形加飾シートを真空成形する工程、および、図３Ｄは、成形加飾シートを真空成形型から取り外す工程を、それぞれ示す。
【図４】図４は、本発明の加飾シートの貼着方法の一実施形態を示す概略工程図であって、図４Ａは、加飾シートから離型層を剥離し、粘着面を露出させる工程、図４Ｂは、加飾シートの粘着面の裏面に、複数の剥離フィルムを配置する工程、および、図４Ｃは、剥離フィルムの剥離方向下流側端縁を折り返すことにより、粘着層を一部露出させる工程を、それぞれ示す。
【図５】図５は、図４に続いて、加飾シートの貼着方法を示す概略工程図であって、図５Ａは、加飾シートを被加飾体に位置合わせし、粘着層により仮止めする工程、図５Ｂは、図５Ａに示す工程における加飾シートの要部拡大図、および、図５Ｃは、剥離フィルムを剥離させる工程、を、それぞれ示す。
【図６】図６は、被加飾体を加飾する加飾シートの概略図であって、図６Ａは、被加飾体を加飾する加飾シートの要部拡大図を示し、図６Ｂは、図６Ａに示す加飾シートの全体図を示す。
【発明を実施するための形態】
【００１７】
図１において、加飾シート１は、剥離層２と、剥離層２の表面に配置される粘着層３と、粘着層３の表面に配置される加飾層としての表皮層４とを備えている。
【００１８】
なお、加飾シート１は、後述する方法により成形加工された後、剥離層２が剥離されて、被着体に貼着される。
【００１９】
以下において、成形前の加飾シート１を、未成形加飾シート１Ａとする。また、成形後の加飾シート１を、成形加飾シート１Ｂとする。
【００２０】
剥離層２は、粘着層３を保護するとともに表皮層４を支持するために、粘着層３に貼着されるとともに、粘着層３から容易に剥離可能とされるシート部材であって、形状保持層５の上面に配置され、形状保持層５と、粘着層３および形状保持層５の間に介在される易剥離層６とを備えている。
【００２１】
形状保持層５は、未成形加飾シート１Ａを、後述するように成形する場合に、所望の形状を保持するために、剥離層２に備えられている。
【００２２】
形状保持層５は、例えば、面方向に（厚み方向に対する直交方向、すなわち、左右方向および前後方向）に延びるシート形状をなし、平面視略矩形状を有している。
【００２３】
形状保持層５としては、例えば、樹脂シート、不織布、紙、金属箔などが挙げられ、これらを単独使用または２種類以上併用することができる。形状保持層５として、好ましくは、樹脂シートが挙げられる。
【００２４】
また、形状保持層５としては、収縮率および軟化開始温度が、所定範囲であるものが、選択される。
【００２５】
より具体的には、形状保持層５の収縮率は、例えば、０／１０００以上、好ましくは、１／１０００以上、より好ましくは、２／１０００以上、さらに好ましくは、４／１０００以上であり、例えば、９／１０００以下、好ましくは、８／１０００以下、より好ましくは、６／１０００以下である。
【００２６】
なお、収縮率は、ＪＩＳ  Ｋ  ７１５２（１９９９年）に準拠して測定される（以下同様）。
【００２７】
また、形状保持層５の軟化開始温度は、例えば、６０℃以上、好ましくは、８０℃以上、より好ましくは、９５℃以上であり、例えば、１２０℃以下、好ましくは、１１０℃以下、より好ましくは、１０５℃以下である。
【００２８】
なお、軟化開始温度は、測定対象を無負荷状態で加熱したときに変形が開始する温度であり、ＪＩＳ  Ｋ  ７１９６（１９９９年）に準拠して測定される。
【００２９】
また、形状保持層５としては、好ましくは、熱変形温度が、所定範囲であるものが、選択される。
【００３０】
また、形状保持層５の熱変形温度は、例えば、５０℃以上、好ましくは、８５℃以上、より好ましくは、９５℃以上であり、例えば、２００℃以下、好ましくは、１５０℃以下、より好ましくは、１１０℃以下である。
【００３１】
なお、熱変形温度は、測定対象を有負荷状態で加熱したときに変形が開始する温度であり、ＡＳＴＭ  Ｄ６４８に準拠して測定される。
【００３２】
具体的には、熱変形温度は、上記試験法の規格に決められた荷重（４．６ｋｇ／ｃｍ２）を与えた状態で、測定対象を昇温し、たわみの大きさが所定の値になる温度を示す（以下同様）。
【００３３】
なお、形状保持層５が樹脂シートである場合、収縮率、軟化開始温度および熱変形温度は、樹脂シートを構成する樹脂の種類や、その構造などにより異なる。
【００３４】
そのため、形状保持層５として、好ましくは、上記範囲の収縮率、軟化開始温度および熱変形温度を有する樹脂シートが、選択される。
【００３５】
形状保持層５（樹脂シート）を構成する樹脂として、具体的には、例えば、エチレン酢酸ビニル（ＥＶＡ、収縮率７／１０００〜９／１０００、軟化開始温度８９〜１１３℃、熱変形温度７７〜８１℃）などの結晶性樹脂、例えば、アクリロニトリル・ブタジエン・スチレン共重合体（ＡＢＳ、収縮率０／１０００〜９／１０００、軟化開始温度９５〜１０５℃、熱変形温度９５〜１１０℃）、ポリスチレン（ＰＳ、収縮率４／１０００〜７／１０００、軟化開始温度９５〜１０５℃、熱変形温度７０~９０℃）、アクリロニトリル・スチレン共重合体（ＡＳ、収縮率２／１０００〜７／１０００、軟化開始温度１１０〜１２０℃、熱変形温度８７〜１０４℃）、ポリ塩化ビニル（ＰＶＣ、収縮率１／１０００〜５／１０００、軟化開始温度６５〜８５℃、熱変形温度５４〜７４℃）などの非晶性樹脂などが挙げられる。
【００３６】
これら形状保持層５を構成する樹脂は、単独使用または２種類以上併用することができる。
【００３７】
形状保持層５を構成する樹脂として、好ましくは、非晶性樹脂が挙げられ、より好ましくは、アクリロニトリル・ブタジエン・スチレン樹脂（ＡＢＳ）が挙げられる。換言すれば、形状保持層５として、好ましくは、アクリロニトリル・ブタジエン・スチレン樹脂からなる樹脂シートが挙げられる。
【００３８】
形状保持層５として、上記の樹脂シートを用いれば、優れた形状保持性を得ることができる。
【００３９】
形状保持層５の厚みは、例えば、１００μｍ以上、好ましくは、１５０μｍ以上、より好ましくは、３００μｍ以上であり、例えば、８００μｍ以下、好ましくは、６００μｍ以下、より好ましくは、５００μｍ以下である。
【００４０】
易剥離層６は、粘着層３に対して易剥離性を有するシート部材であって、剥離層２（形状保持層５）を粘着層３から剥離するために備えられている。
【００４１】
易剥離層６は、例えば、面方向に延びるシート形状をなし、平面視略矩形状を有している。
【００４２】
易剥離層６としては、例えば、樹脂シート、不織布、紙、金属箔などが挙げられ、これらを単独使用または２種類以上併用することができる。易剥離層６として、好ましくは、樹脂シートが挙げられる。
【００４３】
なお、易剥離層６の収縮率、軟化開始温度および熱変形温度は、特に制限されず、適宜選択される。
【００４４】
このような易剥離層６（樹脂シート）を構成する樹脂として、具体的には、例えば、ポリプロピレン（ＰＰ）、エチレン酢酸ビニル（ＥＶＡ）、ポリエチレン（ＰＥ、高密度ポリエチレン（ＨＤＰＥ）など）、ポリアセタール（ＰＯＭ）、ポリブチレンテレフタレート（ＰＢＴ）、ポリエチレンテレフタレート（ＰＥＴ）、ポリフェニレンサルファイド（ＰＰＳ）、ポリアミド（ＰＡ、ナイロン６、ナイロン６，６など）、ポリエーテルエーテルケトン（ＰＥＥＫ）などの結晶性樹脂、例えば、アクリロニトリル・ブタジエン・スチレン共重合体（ＡＢＳ）、ポリスチレン（ＰＳ）、アクリロニトリル・スチレン共重合体（ＡＳ）、ポリカーボネート（ＰＣ）、ポリ塩化ビニル（ＰＶＣ）、ポリメタクリル酸メチルエステル（ＰＭＭＡ）などの非晶性樹脂などが挙げられる。
【００４５】
これら易剥離層６を構成する樹脂は、単独使用または２種類以上併用することができる。
【００４６】
易剥離層６を構成する樹脂として、好ましくは、結晶性樹脂、より好ましくは、ポリプロピレン（ＰＰ）が挙げられる。
【００４７】
易剥離層６を構成する樹脂として、上記の樹脂を用いれば、優れた易剥離性を得ることができる。
【００４８】
易剥離層６の厚みは、例えば、１０μｍ以上、好ましくは、３０μｍ以上、より好ましくは、５０μｍ以上であり、例えば、１００μｍ以下、好ましくは、８０μｍ以下、より好ましくは、６０μｍ以下である。
【００４９】
また、易剥離層６の厚みは、形状保持層５の厚みに対して、例えば、１％以上、好ましくは、５％以上、より好ましくは、１０％以上であり、例えば、５０％以下、好ましくは、３０％以下、より好ましくは、２０％以下である。
【００５０】
易剥離層６は、公知の方法で、形状保持層５に積層される。具体的には、例えば、形状保持層５と易剥離層６とを公知の接着剤（図示せず）によって接着させればよい。これにより、易剥離層６と形状保持層５とが貼り合わされ、離型層２が得られる。
【００５１】
離型層２の厚み（形状保持層５と易剥離層６との総厚み）は、例えば、１５０μｍ以上、好ましくは、２００μｍ以上、より好ましくは、３５０μｍ以上であり、例えば、１０００μｍ以下、好ましくは、８００μｍ以下、より好ましくは、６００μｍ以下である。
【００５２】
粘着層３は、例えば、公知の粘着剤から形成される。
【００５３】
粘着剤としては、例えば、アクリル系粘着剤、ウレタン系粘着剤、エポキシ系粘着剤、シリコーン系粘着剤、ポリエステル系粘着剤、ポリアミド系粘着剤、ビニルアルキルエーテル系粘着剤、フッ素系粘着剤、ゴム系粘着剤などが挙げられる。
【００５４】
これら粘着剤は、単独使用または２種類以上併用することができる。
【００５５】
粘着剤として、好ましくは、アクリル系粘着剤が挙げられる。
【００５６】
アクリル系粘着剤は、例えば、（メタ）アクリル系アルキルエステルを主成分とする粘着剤であって、公知の方法により得ることができる。
【００５７】
また、粘着剤の形態は、特に制限されず、例えば、固形粘着剤、溶剤系粘着剤、エマルジョン系粘着剤、オリゴマー系粘着剤など、種々の形態を採用することができる。
【００５８】
離型層２に粘着層３を積層する方法としては、特に制限されず、例えば、離型層２の表面に、公知の方法で粘着剤を塗布し、必要により加熱する。これにより、離型層２の表面に、粘着層３が積層される。
【００５９】
粘着層３の表面は、粘着性（表面タック性）を有する。
【００６０】
粘着層３の厚みは、例えば、２０μｍ以上、好ましくは、３０μｍ以上であり、例えば、１００μｍ以下、好ましくは、７０μｍ以下である。
【００６１】
表皮層４は、詳しくは後述するように、未成形加飾シート１Ａから得られる成形加飾シート１Ｂ（後述）が被着体（後述）に貼着される場合に、被着体（後述）に意匠性を付与するために、備えられている。
【００６２】
表皮層４は、例えば、面方向に延びるシート形状をなし、平面視略矩形状を有している。
【００６３】
表皮層４としては、例えば、樹脂シート、不織布、紙、金属箔などが挙げられ、これらを単独使用または２種類以上併用することができる。表皮層４として、好ましくは、樹脂シートが挙げられる。
【００６４】
また、表皮層４は、収縮率および軟化開始温度が所定範囲となるよう、選択される。
【００６５】
表皮層４の収縮率は、例えば、０／１０００以上、好ましくは、２／１０００以上、より好ましくは、４／１０００以上であり、例えば、９／１０００以下、好ましくは、８／１０００以下、より好ましくは、５／１０００以下である。
【００６６】
また、表皮層４の収縮率は、形状保持層５の収縮率と同程度であることが好ましく、表皮層４の収縮率と、形状保持層５の収縮率との差は、例えば、１０／１０００以下、好ましくは、６／１０００以下、より好ましくは、５／１０００以下であり、通常、０／１０００以上である。
【００６７】
また、表皮層４の軟化開始温度は、例えば、６０℃以上、好ましくは、６３℃以上、より好ましくは、６５℃以上であり、例えば、１２０℃以下、好ましくは、１００℃以下、より好ましくは、８５℃以下である。
【００６８】
また、表皮層４の軟化開始温度は、形状保持層５の軟化開始温度よりも低いことが好ましく、表皮層４の軟化開始温度と形状保持層５の軟化開始温度との差は、例えば、１０℃以上、好ましくは、１５℃以上であり、通常、２００℃以下である。
【００６９】
また、表皮層４としては、好ましくは、熱変形温度が、所定範囲であるものが、選択される。
【００７０】
また、表皮層４の熱変形温度は、例えば、５０℃以上、好ましくは、５２℃以上、より好ましくは、５４℃以上であり、例えば、２００℃以下、好ましくは、１５０℃以下、より好ましくは、１００℃以下、さらに好ましくは、７４℃以下である。
【００７１】
また、表皮層４の熱変形温度は、形状保持層５の熱変形温度よりも低いことが好ましく、表皮層４の熱変形温度と、形状保持層５の熱変形温度との差は、例えば、１０℃以上、好ましくは、１５℃以上、より好ましくは、２０℃以上であり、通常、２００℃以下である。
【００７２】
なお、表皮層４が樹脂シートである場合、収縮率、軟化開始温度および熱変形温度は、樹脂シートを構成する樹脂の種類や、その構造などにより異なる。
【００７３】
そのため、表皮層４として、好ましくは、上記範囲の収縮率、軟化開始温度および熱変形温度を有する樹脂シートが、選択される。
【００７４】
表皮層４（樹脂シート）を構成する樹脂として、具体的には、例えば、エチレン酢酸ビニル（ＥＶＡ、収縮率７／１０００〜９／１０００、軟化開始温度８９〜１１３℃、熱変形温度７７〜８１℃）などの結晶性樹脂、例えば、アクリロニトリル・ブタジエン・スチレン共重合体（ＡＢＳ、収縮率０／１０００〜９／１０００、軟化開始温度９５〜１０５℃、熱変形温度９５〜１１０℃）、ポリスチレン（ＰＳ、収縮率４／１０００〜７／１０００、軟化開始温度９５〜１０５℃、熱変形温度７０~９０℃）、アクリロニトリル・スチレン共重合体（ＡＳ、収縮率２／１０００〜７／１０００、軟化開始温度１１０〜１２０℃、熱変形温度８７〜１０４℃）、ポリ塩化ビニル（ＰＶＣ、収縮率１／１０００〜５／１０００、軟化開始温度６５〜８５℃、熱変形温度５４〜７４℃）などの非晶性樹脂などが挙げられる。
【００７５】
これら表皮層４を構成する樹脂は、単独使用または２種類以上併用することができる。
【００７６】
表皮層４を構成する樹脂として、好ましくは、結晶性樹脂が挙げられ、より好ましくは、ポリ塩化ビニル（ＰＶＣ）が挙げられる。
【００７７】
表皮層４として、上記の樹脂シートを用いれば、優れた形状保持性を得ることができる。
【００７８】
表皮層４の厚みは、例えば、５０μｍ以上、好ましくは、１００μｍ以上、より好ましくは、１５０μｍ以上であり、例えば、５００μｍ以下、好ましくは、３００μｍ以下、より好ましくは、２００μｍ以下である。
【００７９】
また、表皮層４の厚みは、粘着層３の厚みに対して、例えば、１００％以上、好ましくは、２００％以上、より好ましくは、３００％以上であり、例えば、６００％以下、好ましくは、５００％以下、より好ましくは、４００％以下である。
【００８０】
また、表皮層４の厚みは、剥離層２の厚みに対して、例えば、１０％以上、好ましくは、２０％以上、より好ましくは、３０％以上であり、例えば、７０％以下、好ましくは、６０％以下、より好ましくは、５０％以下である。
【００８１】
表皮層４は、公知の方法で、粘着層３の表面に積層される。これにより、剥離層２と表皮層４とが粘着層３を介して貼り合わされ、未成形加飾シート１Ａが得られる。
【００８２】
また、図１において破線で示すように、未成形加飾シート１Ａは、さらに、コート層７を備えることができる。
【００８３】
コート層７は、例えば、表皮層４を保護するために、表皮層４の表面に配置される。
【００８４】
コート層７は、例えば、公知のコーティング剤から形成される。
【００８５】
コーティング剤としては、例えば、アクリル系コーティング剤、ウレタン系コーティング剤、フッ素系コーティング剤、シリコーン系コーティング剤などが挙げられる。
【００８６】
これらコーティング剤は、単独使用または２種類以上併用することができる。
【００８７】
コーティング剤として、好ましくは、フッ素系コーティングが挙げられる。
【００８８】
コート層７の積層方法としては、特に制限されず、例えば、表皮層４の表面に、公知の方法でコーティング剤を塗布および乾燥させればよい。これにより、表皮層４の表面に、コート層７が積層される。また、表皮層４とは別途、コート層７を形成し、そのコート層７を、接着剤などによって表皮層４に積層することもできる。
【００８９】
また、例えば、コート層７として樹脂フィルム（例えば、アクリル系樹脂フィルム、ウレタン系樹脂フィルム、フッ素系樹脂フィルム、シリコーン系樹脂フィルムなど）を用いることもできる。そのような場合、コート層７（樹脂フィルム）は、必要により接着剤を介して、表皮層４に貼着される。
【００９０】
コート層７の厚みは、例えば、２０μｍ以上、好ましくは、３０μｍ以上であり、例えば、１００μｍ以下、好ましくは、７０μｍ以下である。
【００９１】
また、未成形加飾シート１Ａの厚み（総厚み）は、例えば、３００μｍ以上、好ましくは、４００μｍ以上であり、例えば、１０００μｍ以下、好ましくは、７００μｍ以下である。
【００９２】
このような未成形加飾シート１Ａには、意匠性の向上を図るため、任意の柄や模様を、公知の方法で付与することができる。例えば、表皮層４と粘着層３との間や、表皮層４とコート層７との間などに、任意の柄や模様を有する意匠層（図示せず）を介在させることができ、また、表皮層４やコート層７を直接加工し、任意の柄や模様を付与することもできる。
【００９３】
そして、このような未成形加飾シート１Ａは、形状保持層５の収縮率、および、表皮層４の収縮率が、ともに、０／１０００〜９／１０００であり、形状保持層５の軟化開始温度、および、表皮層４の軟化開始温度が、ともに、６０℃以上１２０℃以下であるため、成形時において、所望外の形状に変形することや、破損を抑制することができる。
【００９４】
また、上記した説明では、粘着層３および形状保持層５の間に、易剥離層６が介在されているが、例えば、易剥離層６を用いることなく、未成形加飾シート１Ａを得ることもできる。
【００９５】
図２において、未成形加飾シート１Ａは、剥離層２と、剥離層２の表面に配置される粘着層３と、粘着層３の表面に配置される表皮層４とを備えている。そして、図２において、剥離層２は、易剥離層６を備えておらず、形状保持層５のみからなる。
【００９６】
そして、図２において、形状保持層５は、易剥離性を有している。
【００９７】
より具体的には、易剥離性の形状保持層５は、粘着層３に対して易剥離性を有するシート、すなわち、粘着層３から容易に剥離可能なシートであって、かつ、未成形加飾シート１Ａを成形する場合（例えば、加熱成形する場合）などに、所望の形状を保持し、未成形加飾シート１Ａが所望形状とは異なる形状に変形することを抑制するためのシートである。
【００９８】
易剥離性の形状保持層５は、上記の形状保持層５（好ましくは、樹脂シート）から、粘着層３に対して易剥離性を有するものが、適宜選択される。
【００９９】
また、易剥離性の形状保持層５としては、上記の形状保持層５（好ましくは、樹脂シート）の表面（粘着層３の接触面）に、公知の易剥離処理を施して用いることもできる。
【０１００】
易剥離処理としては、例えば、公知のフッ素処理などが挙げられる。
【０１０１】
易剥離性の形状保持層５を用いれば、粘着層３および形状保持層５の間に易剥離層６を介在させることなく、未成形加飾シート１Ａを得ることができるため、製造コストおよび工数を削減することができる。
【０１０２】
そして、未成形加飾シート１Ａは、３次元形状に立体加工された成形加飾シート１Ｂ（図３Ｄ参照）の製造において、好適に用いられる。すなわち、成形加飾シート１Ｂ（図３Ｄ参照）は、上記の未成形加飾シート１Ａを成形することにより、得ることができる。
【０１０３】
成形方法としては、特に制限されず、真空成形、熱プレス成形などの加熱成形などが挙げられ、好ましくは、真空成形が挙げられる。真空成形によれば、より効率よく、成形シートを得ることができる。
【０１０４】
以下において、真空成形法による成形シートの製造方法について、詳述する。
【０１０５】
より具体的には、この方法では、まず、図３Ａに示すように、上記の未成形加飾シート１Ａを用意する（準備工程）。
【０１０６】
また、準備工程では、未成形加飾シート１Ａを成形するための真空成形型１１を、用意する。
【０１０７】
真空成形型１１は、公知の金型である。真空成形型１１の形状は、特に制限されないが、未成形加飾シート１Ａの張り付き面（すなわち、後述するように未成形加飾シート１Ａが真空成形型１１に対して張り付くときに、未成形加飾シート１Ａと真空成形型１１とが接触する面（図３Ｃ参照））が、被着体（後述）における成形加飾シート１Ｂの貼着面と、同形状であることが好ましい。
【０１０８】
次いで、この方法では、上記未成形加飾シート１Ａを、上記の真空成形型１１を用いて、真空成形する。
【０１０９】
より具体的には、この方法では、図３Ｂに示すように、未成形加飾シート１Ａの表皮層４側、および、剥離層２側が、それぞれ加熱（予熱）される。
【０１１０】
加熱温度（予熱温度）は、未成形加飾シート１Ａの材料に応じて、適宜設定される。例えば、未成形加飾シート１Ａの表皮層４が樹脂シートである場合、樹脂シートの軟化開始温度（および必要により熱変形温度）に応じて、表皮層４側の加熱温度が設定される。また、未成形加飾シート１Ａの剥離層２が樹脂シートである場合、樹脂シートの軟化開始温度（および必要により熱変形温度）に応じて、剥離層２側の加熱温度が設定される。
【０１１１】
より具体的には、例えば、表皮層４の軟化開始温度が、形状保持層５の軟化開始温度よりも低い場合、好ましくは、表皮側４側の加熱温度（図２の紙面上側）が、剥離層２側の加熱温度（図２の紙面下側）よりも低くなるように、設定される。
【０１１２】
このような場合において、表皮層４側の加熱温度は、例えば、１１０℃以上、好ましくは、１２０℃以上、より好ましくは、１２３℃以上であり、例えば、１４０℃未満、好ましくは、１３０℃未満、より好ましくは、１２７℃以下である。
【０１１３】
また、剥離層２側の加熱温度は、例えば、１２０℃以上、好ましくは、１３０℃以上、より好ましくは、１３３℃以上であり、例えば、１５０℃以下、好ましくは、１４０℃以下、より好ましくは、１３７℃以下である。
【０１１４】
加熱温度が上記範囲であれば、より効率よく成形加飾シート１Ｂを得ることができる。
【０１１５】
また、加熱時間は、例えば、６０秒以上、好ましくは、７０秒以上であり、例えば、１５０秒以下、好ましくは、１００秒以下である。
【０１１６】
このような加熱により、未成形加飾シート１Ａが軟化され、成形可能とされる。
【０１１７】
次いで、この方法では、図３Ｃに示すように、未成形加飾シート１Ａを、真空成形型１１に真空圧着させ、真空成形する。
【０１１８】
より具体的には、この工程では、未成形加飾シート１Ａが真空成形型１１の上に載置され、その後、減圧手段（図示せず）によって減圧され、未成形加飾シート１Ａと真空成形型１１との間の空気が抜かれる。
【０１１９】
また、真空成形において、好ましくは、真空成形型１１が、例えば、７０〜９０℃（好ましくは、８０℃）に加熱される。
【０１２０】
その結果、未成形加飾シート１Ａが、大気圧によって真空成形型１１に張り付き、その接触面において、未成形加飾シート１Ａが、真空成形型１１の形状に沿って変形される。これにより、成形加飾シート１Ｂが得られる。このとき、被着体（後述）と同寸法および同形状の真空成形型１１を用いていれば、上記の真空成形により、被着体（後述）と同寸法および同形状の成形加飾シート１Ｂが得られる。
【０１２１】
その後、この方法では、得られた成形加飾シート１Ｂが放冷され、図３Ｄに示すように、真空成形型１１から取り外される。また、必要に応じて、成形加飾シート１Ｂから、不要部分が切除される（破線参照）。
【０１２２】
このようにして得られる成形加飾シート１Ｂは、上記の未成形加飾シート１Ａを用いて得られるため、加工性に優れ、さらには、取り付け時の作業性にも優れる。
【０１２３】
また、上記の成形加飾シート１Ｂの製造方法によれば、成形加飾シート１Ｂを、効率よく製造することができる。
【０１２４】
そして、得られる成形加飾シート１Ｂは、図１〜図２が参照されるように、加飾層としての表皮層４と、その表皮層４の裏面に設けられる粘着層３と、その粘着層３の裏面に設けられる離型層２とを備えている。そのため、成形加飾シート１Ｂは、粘着層３を介して表皮層４を被着体に貼着することにより、被着体を加飾することができる。
【０１２５】
より具体的には、成形加飾シート１Ｂの離型層２が剥離され、次いで、粘着層３を介して、表皮層４が被着体に圧着（貼着）される。これにより、被着体に成形加飾シート１Ｂが貼着され、被着体に対して、意匠性が簡易に付与される。
【０１２６】
被着体は、成形加飾シート１Ｂにより加飾される被加飾体であって、特に制限されず、例えば、自動車のバンパー、ルーフパネル、サイドパネル、スポイラー、インストルメントパネル、ドアトリム、ピラーなどの自動車内外装材、その他、建造物の内外装材などが挙げられる。好ましくは、自動車外装材が挙げられる。
【０１２７】
以下において、成形加飾シート１Ｂ（以下、単に加飾シート１と称する。）を、被加飾体としての自動車外装材（例えば、ルーフパネル、スポイラーなど）２０に貼着する方法について、図４~図５を参照して詳述する。
【０１２８】
図４〜図５において、加飾シート１は、長手方向に沿って伸びるテーパー形状を有しており、自動車外装材２０の加飾デザインに合わせて、例えば、断面が円弧状を有する３次元形状に立体加工されている。また、図４Ａにおいて、加飾シート１は、拡大断面図として示されるように、表面側（表皮層４側）が紙面下側を向き、裏面側（剥離層２側）が紙面上側を向くように、配置されている。
【０１２９】
そして、この加飾シート１の貼着方法では、まず、図４Ａにおいて仮想線で示すように、加飾シート１の離型層２を剥離して、粘着層３を露出させる。離型層２を剥離する方法は、特に制限されず、公知の方法が採用される。
【０１３０】
離型層２が剥離された加飾シート１は、図４Ａにおいて拡大断面図として示されるように、加飾層としての表皮層４と、その裏面（紙面上側）に設けられる粘着層３とを備えており、また、必要により、表皮層４の表側（紙面下側）に、コート層７を備えている。
【０１３１】
次いで、この方法では、図４Ｂに示すように、露出された粘着層３の裏面に、複数の剥離フィルム１５を配置する（準備工程）。
【０１３２】
剥離フィルム１５は、粘着層３を一時的に被覆し、後述する貼着工程において、所定方向（剥離方向）に沿って剥離される樹脂フィルムである。
【０１３３】
剥離フィルム１５としては、特に制限されないが、易剥離性の観点から、好ましくは、可撓性の樹脂フィルムが挙げられる。また、作業性の観点から、好ましくは、透明樹脂フィルムおよび／または半透明樹脂フィルムが挙げられる。
【０１３４】
剥離フィルム１５として、より具体的には、例えば、ポリエチレンフィルム、ポリプロピレンフィルム、ポリウレタンフィルムなどが挙げられ、好ましくは、ポリプロピレンフィルムが挙げられる。これらは、単独使用または２種類以上併用することができる。
【０１３５】
剥離フィルム１５の厚みは、特に制限されず、目的および用途に応じて、適宜設定される。
【０１３６】
そして、この準備工程では、図４Ａに示されるように、粘着層３の裏面が上側を向くように加飾シート１が載置され、図４Ｂに示されるように、粘着層３の裏面に複数の剥離フィルム１５が、後述する剥離方向に沿って順次配置される。
【０１３７】
これにより、粘着層３の裏面には、各剥離フィルム１５と接触する領域（配置領域）が、複数区画される。
【０１３８】
また、この準備工程では、剥離フィルム１５の剥離時（後述）において、剥離フィルム１５を把持できる把持タブ１６（後述）ができるように、剥離フィルム１５を配置する。
【０１３９】
より具体的には、例えば、剥離フィルム１５を粘着層３上に配置する前に、剥離フィルム１５の剥離方向上流側端部を、任意の幅で、剥離フィルム１５の裏面側（紙面上側）に向けて折り返す。そして、その折り目を有する剥離フィルム１５を、図４ＢにおいてＡ−Ａ断面を拡大して示すように、粘着層３上に配置する。
【０１４０】
これにより、剥離フィルム１５の剥離方向上流側端縁１７を、粘着層３に対して離隔させる。剥離フィルム１５の粘着層３に対して離隔した部分は、後述する貼着工程において、把持タブ１６として扱われる。
【０１４１】
なお、把持タブ１６は、図４Ｂにおいて実線で示されるように、剥離フィルム１５の剥離方向下流側に向けて折り返されていてもよく、また、図４Ｂにおいて仮想線で示されるように、剥離フィルム１４の上流側端縁１７が、剥離フィルム１５および粘着層３の接触部分の上流側端部よりも、さらに上流側に配置されていてもよい。
【０１４２】
また、複数の剥離フィルム１５は、剥離方向上流側および下流側において、隣接する剥離フィルム１５と一部重複するように、配置される。
【０１４３】
より具体的には、図４ＢにおいてＡ−Ａ断面を拡大して示すように、剥離フィルム１５Ａの剥離方向下流側端部は、剥離方向下流側において隣接する剥離フィルム１５Ｂの剥離方向上流側端部（把持タブ１６）と、厚み方向において重複する。
【０１４４】
すなわち、剥離フィルム１５の剥離方向下流側端縁１８も、粘着層３に対して離隔している。これにより、剥離フィルム１５の剥離効率の向上を図ることができる。
【０１４５】
また、この準備工程では、図４Ｃに示すように、各剥離フィルム１５の剥離方向下流側端縁を剥離フィルム１５の裏面側（紙面上側）に向けて折り返し、これにより、粘着層３を一部露出させる。
【０１４６】
より具体的には、図４Ｃにおいて、丸Ｂとして示すように、剥離フィルム１５の剥離方向下流側の角部を剥離フィルム１５の内側へ向けて折り返すことにより、その下面の粘着層３を、平面視略三角形状に露出させる。
【０１４７】
また、図示しないが、例えば、剥離フィルム１５を部分的に裁断し、粘着層３の裏面から除去することにより、粘着層３を露出させることもできる。
【０１４８】
粘着層３の露出部分３Ａは、後述する貼着工程において、加飾フィルム１を自動車外装材２０に仮止め（位置決め）するために使用される。
【０１４９】
換言すれば、上記の準備工程では、複数の剥離フィルム１５は、それぞれ、剥離方向上流側において把持タブ１６を形成し、かつ、剥離方向下流側において仮止めのための粘着層３を露出させるように、粘着層３の裏面（紙面上側）に配置される。
【０１５０】
次いで、この方法では、図５に示すように、複数の剥離フィルム１５を順次剥離して、加飾シート１の粘着層３を、自動車外装材２０に順次貼着する（貼着工程）。
【０１５１】
より具体的には、貼着工程では、まず、図５Ａおよび図５Ｂに示すように、加飾シートをひっくり返して、剥離フィルム１５が自動車外装材２０に対して接触するように、加飾シート１を自動車外装材２０に位置合わせする。
【０１５２】
そして、仮止めのために露出している全ての粘着層３（丸Ｂ参照）を、自動車外装材２０に貼着することにより、自動車外装材２０に対して加飾シート１を位置決めおよび仮止めする。
【０１５３】
このとき、粘着層３の露出部分３Ａは、図４Ｃに示すように、１つの加飾シート１に対して複数存在するため、それら複数の露出部分３Ａによって、加飾シート１が、より正確に仮止めされる。
【０１５４】
次いで、この方法では、図５Ｃに示すように、複数の剥離フィルム１５を順次剥離しながら、加飾シート１の粘着層３を、自動車外装材２０に順次貼着する。
【０１５５】
より具体的には、剥離フィルム１５の把持タブ１６を把持して、図５Ｃに矢印Ｃとして示すように、自動車外装材２０の長手方向に沿って（例えば、前側から後側に向けて）、剥離フィルム１５を徐々に粘着層３から剥離させる。
【０１５６】
このとき、剥離フィルム１５の剥離によって粘着層３が露出した加飾シート１を、必要に応じて、図示しないスキージーなどを使用して、自動車外装材２０に圧着させる。また、必要に応じて、図示しないドライヤーなどを使用して、加飾シート１を軟化させながら、自動車外装材２０に圧着させる。これにより、加飾シート１を自動車外装材２０に固定する。
【０１５７】
そして、剥離フィルム１５を剥離し、剥離方向下流側端縁における仮止め位置（丸Ｂ参照）に到達すると、剥離フィルム１５を除去して、剥離フィルム１５の下流側端部における仮止め位置（丸Ｂ参照）に合わせて、加飾シート１の貼着位置を微調整する。
【０１５８】
その後、剥離方向下流側（後側）において隣接する剥離フィルム１５を、上記と同様に剥離させ、加飾シート１を自動車外装材２０に圧着させる。また、剥離フィルム１５が１枚剥離される毎に、剥離フィルム１５の下流側端部における仮止め位置（丸Ｂ参照）に合わせて、加飾シート１の貼着位置を微調整する。
【０１５９】
このようにして、複数の剥離フィルム１５を順次剥離しながら、加飾シート１の粘着層３を自動車外装材２０に順次貼着する。これにより、加飾シート１を、より正確に、仮止め位置にあわせて位置決めして、自動車外装材２０に貼着することができる。その結果、図６Ａおよび図６Ｂに示すように、自動車外装材２０を良好に加飾することができる。
【０１６０】
そして、このような加飾シート１の貼着方法によれば、作業者の熟練度を必要とせず、簡易なドライ工法において、３次元形状に加工された大きな加飾シート１を自動車外装材２０に貼着することができ、外観に優れる加飾面を得ることができる。
【０１６１】
つまり、このような加飾シート１の貼着方法では、上記したように、加飾シート１の粘着層３に複数の剥離フィルム１５を剥離方向に沿って順次配置し、各剥離フィルムの剥離方向下流側端部において粘着層３の一部をそれぞれ露出させ、各露出面によって自動車外装材２０に仮止めし、その後、剥離フィルムを順次剥離しながら、加飾シート１を自動車外装材２０に順次貼着する。
【０１６２】
このような加飾シート１の貼着方法では、ドライ工法が採用されるため、ウェット工法が採用される場合のような作業者の熟練度を必要とせず、簡易である。
【０１６３】
また、上記の加飾シート１の貼着方法では、１つの自動車外装材２０に対して複数の剥離フィルム１５を使用するため、１つの自動車外装材２０に対して１つの剥離フィルム１５を使用する場合に比べて、貼着範囲をより小さい区画に分けることができ、その区画毎に貼着することができる。そして、各区画の貼着時には、各剥離フィルム１５の剥離方向下流側端部において、貼着層３の露出面によって加飾シート１が仮止めされているため、各剥離フィルム１５の剥離中における加飾シート１の位置ずれを抑制でき、さらには、各剥離フィルム１５の剥離後、次の剥離フィルム１５を剥離する前に、加飾シート１の貼着位置を微調整することができる。
【０１６４】
そのため、上記の加飾シート１の貼着方法によれば、より確実に位置決めして、外観に優れる加飾面を得ることができる。
【０１６５】
なお、このような加飾シート１の貼着方法では、図示しないが、例えば、離型層２を剥離する前に（つまり、粘着層３が離型層２に被覆された状態で）、加飾シート１を自動車外装材２０に対して位置合わせし、加飾位置に目印を付けることができる。
【０１６６】
目印を付ける方法としては、特に制限されないが、例えば、加飾シート１を自動車外装材２０に対して位置合わせした状態で、加飾シート１から自動車外装材２０にわたって、マスキングテープなどを割印状に貼着する。このように目印を付けることにより、一度、加飾シート１を自動車外装材２０から離した後であっても、割印状のマスキングテープを合わせるようにして、加飾シート１を自動車外装材２０に対して同位置に配置することができる。
【０１６７】
このような場合、加飾位置の目印に従って、加飾シート１を位置合わせして、上記した方法で、粘着層３の露出部分３Ａにより仮止めし、また、剥離フィルム１５を剥離して、微調整しながら加飾シート１を自動車外装材２０に貼着させる。これにより、さらに正確に加飾シート１を貼着することができ、簡易に外観に優れる加飾面を得ることができる。
【０１６８】
そのため、上記の加飾シート１の貼着方法は、意匠性を要する各種産業分野、具体的には、自動車などの車両、さらには、建造物、家具などの各種外装分野および内装分野において、好適に用いられる。
【０１６９】
なお、上記した説明では、真空成形により３次元成形された加飾シート１を被加飾体に貼着しているが、例えば、未成形の加飾シート１を貼着してもよく、さらには、加飾シート１を平面加工（裁断など）して貼着してもよい。
【符号の説明】
【０１７０】
１    加飾シート
３    粘着層
４    表皮層
５    形状保持層
１５  剥離シート
２０  自動車外装材
【図１】
2019111694.tif 000003
【図２】
2019111694.tif 000004
【図３】
2019111694.tif 000005
【図４】
2019111694.tif 000006
【図５】
2019111694.tif 000007
【図６】
2019111694.tif 000008